(57)【要約】【課題】出演者や看る者の意識にまで踏み込んだ効果的な残像や先駆画像等を表現することの可能な本画像用画面の周囲に残像もしくは先駆画像を表示できるテレビモニタを提供することを目的とする。【解決手段】テレビモニタの画面を本画像用画面と、その周囲に配置した残像用画面もしくは先駆画像用画面とで構成し、各残像用画面もしくは先駆画像用画面に表示された各残像もしくは先駆画像の画像データを生成する残像もしくは先駆画像データ生成手段を備え、各残像用画面もしくは先駆画像用画面中の残像もしくは先駆画像を本画像用画面中の本画像から離れる方向に向かうにしたがって順次遅延もしくは先駆させるよう構成し、各残像用画面もしくは先駆画像用画面の密度を時間の経過に応じ、本画像用画面中の本画像から離れる方向に向かって順次変化するようにして、残像用画面もしくは先駆画像用画面により時間の経過が理解できるようにしたことを特徴とする本画像用画面の周囲に残像もしくは先駆画像を表示できるテレビモニタ。【選択図】          図１
2004172689.tif 000002
【特許請求の範囲】
【請求項１】
テレビモニタの画面を本画像用画面と、その周囲に配置した残像用画面もしくは先駆画像用画面とで構成し、各残像用画面もしくは先駆画像用画面に表示された各残像もしくは先駆画像の画像データを生成する残像もしくは先駆画像データ生成手段を備え、各残像用画面もしくは先駆画像用画面中の残像もしくは先駆画像を本画像用画面中の本画像から離れる方向に向かうにしたがって順次遅延もしくは先駆させるよう構成し、各残像用画面もしくは先駆画像用画面の密度を時間の経過に応じ、本画像用画面中の本画像から離れる方向に向かって順次変化するようにして、残像用画面もしくは先駆画像用画面により時間の経過が理解できるようにしたことを特徴とする本画像用画面の周囲に残像もしくは先駆画像を表示できるテレビモニタ。
【請求項２】
各残像もしくは先駆画像用画面が、本画像用画面の周囲の上下左右の４面に形成されている、請求項１に記載の本画像用画面の周囲に残像もしくは先駆画像を表示できるテレビモニタ。
【発明の詳細な説明】
【０００１】
【発明の属する技術分野】この発明は本画像用画面の周囲に残像もしくは先駆画像を表示できるテレビモニタに係り、特に、テレビモニタ上を移動する画像主体、例えばドラマの主人公やその乗り物、あるいはゲームにおけるキャラクタの残像もしくは先駆画像を本画像の周囲に表示するようにした、本画像用画面の周囲に残像もしくは先駆画像を表示できるテレビモニタに関する。
【０００２】
【従来の技術】従来、本画像と他の画像、あるいは複数の画像を画面を分割して同時に表示できるようにしたテレビモニタはすでに広く使用されている。すなわち、
１）テレビモニタ画面中に表示されるテレビ画像の中に他のテレビ画像をはめ込んで表示するテレビインテレビ方式
２）ＤＶＥ等のテレビジョン特殊効果装置による静止画複数分割表示方式
等が提供されている。
しかしながら、このような分割画面を備えたテレビ画像においては、各分割画面はそれぞれ独立しており、この発明の目的としているような残像や先駆画像を表示することについては何も考慮されていない。
【０００３】一方、テレビ画像における残像は、画像を鮮明にする過程の中で残像を除去することが避けて通れない課題となっていた。
この残像現象は、もともと映画やテレビを成り立たせている生理学的現象である。すなわち、映像は見られた後も短い時間は眼の網膜に保持されたままでいる。したがって、別の映像がその残像が消えるより前に取って代われば、動きの錯覚を作り出すことができる。映画やテレビの動画はこのような現象を利用しているのである。
【０００４】ところがテレビ画像の中の物体の移動が速いと、その速度に残像の消える速度が追いつかず、画像中に残像が障害物となって残ってしまい、非常に見づらく粗悪な画像となってしまう結果となっていた。
【０００５】他方、コンピュータグラフィックス（以下ＣＧという）等においては、テレビモニタ中の物体の移動にスピード感を持たせるため、従来、移動中の物体の後方に当該物体の残像を表示することも行われている。
従来の、スピード感を持たせるための残像表示の方法としては、
１）移動方向と移動速度に対応した残像のパターンを、必要な種類だけ、予め記憶しておき、移動物体の移動方向と移動速度に対応した残像パターンを選択して、移動物体の後方に表示する方法
２）また、別の方法としては、一般的なモーションブラー表現を用いる方法として、動きを表現するために移動物体の形状を移動中に変化させ、移動物体が移動中に通過した移動軌跡上で、通過時点での移動物体の形状を残像として表示する方法がある。
３）また、別の方法としては、移動物体の後方に、移動物体のパターンを点滅させて表示して、残像とする方法がある。
【０００６】
【発明が解決しようとする課題】しかしながら、上記従来のいずれのものも、例えば残像の処理や残像の利用のみで、出演者や看る者の意識にまで踏み込んだ画像や映像を提供することはできなかった。
【０００７】本発明は、上記の点に鑑みてなされたもので、出演者や看る者の意識にまで踏み込んだ効果的な残像や先駆画像等を表現することの可能な本画像用画面の周囲に残像もしくは先駆画像を表示できるテレビモニタを提供することを目的とする。
【０００８】
【課題を解決するための手段】すなわちこの発明の本画像用画面の周囲に残像もしくは先駆画像を表示できるテレビモニタは、テレビモニタの画面を本画像用画面と、その周囲に配置した残像用画面もしくは先駆画像用画面とで構成し、各残像用画面もしくは先駆画像用画面に表示された各残像もしくは先駆画像の画像データを生成する残像もしくは先駆画像データ生成手段を備え、各残像用画面もしくは先駆画像用画面中の残像もしくは先駆画像を本画像用画面中の本画像から離れる方向に向かうにしたがって順次遅延もしくは先駆させるよう構成し、各残像用画面もしくは先駆画像用画面の密度を時間の経過に応じ、本画像用画面中の本画像から離れる方向に向かって順次変化するようにして、残像用画面もしくは先駆画像用画面により時間の経過が理解できるようにしたことを特徴とするものである。
【０００９】また、この発明の本画像用画面の周囲に残像もしくは先駆画像を表示できるテレビモニタは、上記各残像もしくは先駆画像用画面が、本画像用画面の周囲の上下左右の４面に形成されていることをも特徴とするものである。
【００１０】上記したこの発明では、予め画面を分割して本画像用画面とその周囲に配置した残像もしくは先駆画像用画面とで構成し、本画像用画面の周囲に残像もしくは先駆画像用画面を複数表示する。このため、本画像の見やすさが確実に確保されているのである。
【００１１】なおかつ残像もしくは先駆画像用画面には、各残像用画面もしくは先駆画像用画面の密度を時間の経過に応じ、本画像用画面中の本画像から離れる方向に向かって順次変化するようにして、残像用画面もしくは先駆画像用画面により時間の経過が理解できるようにしたので、テレビモニタ内で本画像と、残像もしくは先駆画像用画面における残像もしくは先駆画像による時間の経過とを同時に表示することを可能とすることができる。言い換えると、残像用画面もしくは先駆画像用画面において出演者や看る者の意識を反映した画像を提供することができ、立体感や臨場感のある映像を提供することができるのである。
【００１２】
【発明の実施の形態】以下この発明の、本画像用画面の周囲に残像もしくは先駆画像を表示できるテレビモニタの実施の形態を、図面に基いて詳細に説明する。
【００１３】図１はこの発明の本画像用画面の周囲に残像もしくは先駆画像を表示できるテレビモニタの一実施例を示す説明図、図２（ａ）、（ｂ）は残像もしくは先駆画像を表示する箇所のそれぞれ部分図および詳細図、図３は本発明を適用したテレビモニタでサッカーを放映する場合を示す概略図、図４は図３の映像の時間から所定時間経過した状態の概略図、図５は上記画像を撮影する場合についての説明図である。
【００１４】この発明のテレビモニタは、図１に示すような、テレビジョンやＶＴＲ、ゲーム機等の本体部分（図ではテレビモニタと一体化）、制御部１１、テレビモニタ１２、スピーカ１３のようなシステム構成からなっている。
【００１５】上記本体部分は、全体の制御を行うＣＰＵ（中央処理装置）、システムプログラムや固定のデータ等が格納されたＲＯＭ、各種データの一時格納や、各種作業を行うためのＲＡＭ、タイマ、ＣＤ−ＲＯＭやＤＶＤ装置、ＣＰＵに制御されてテレビモニタ（表示装置）１２にビデオ信号を供給するビデオジェネレータ、オーディオ信号を生成するサウンドジェネレータ等を備えていることが望ましい。
【００１６】ＣＰＵは、ＲＡＭに格納されたシステムプログラムに従い、本画像の進行に応じて残像や先駆画像を制御する。ずなわち、ＣＰＵはテレビモニタ１２の画面に本画像を表示させ、また、本画像の進行に合わせてビデオジェネレータやサウンドジェネレータにビデオ・オーディオ信号を生成させて、スピーカ１３から本画像の効果音を出力させる。同時にＲＡＭに本画像から分離した残像もしくは先駆画像用データを記憶させておき、本画像から所定の時間遅延もしくは先駆させてビデオジェネレータやサウンドジェネレータにビデオ・オーディオ信号を生成することにより、残像もしくは先駆画像を本画像の周囲に表示させる。
【００１７】この本画像から分離した残像もしくは先駆画像を本画像から遅延させてテレビモニタ１２に表示する手段としては、プログラムによりビデオジェネレータやサウンドジェネレータを制御して実行したり、残像もしくは先駆画像用画面の遅延処理の制御を遅延回路を用いて実行することによって行なうことが挙げられる。
【００１８】次に、テレビモニタ１２の画面中の本画像用画面３１の周囲に表示する残像もしくは先駆画像の表示について図１ないし図２に基いて説明する。ここでは、本画像用画面３１の周囲を上下左右に４分割して、残像もしくは先駆画像を表示できる画面３２を形成している。もちろん、この残像もしくは先駆画像用画面３２の分割方法はこのような４分割に限定されるものではなく、分割位置や分割数はテレビモニタの大きさ等を配慮して適宜決定することができる。
【００１９】なおその際、テレビモニタ１２の上記各残像もしくは先駆画像用画面３２を本画像用画面３１に対して傾斜して形成しておけば、より立体感や臨場感のある映像を得ることができる。すなわち、各残像もしくは先駆画像用画面３２を手前側に傾斜させておけば画面の奥に向かう移動物体のスピード感がより臨場感のあるものとなり、各残像もしくは先駆画像用画面３２を奥側に傾斜させておけば画面の奥の方から進行してくる移動物体のスピード感がより臨場感のあるものとなる。
【００２０】上記各残像もしくは先駆画像用画面３２は、その密度を時間の経過に応じ、本画像用画面３１中の本画像から離れる方向に向かって順次変化するようにしてある。すなわち、図１の０点からＡ´点までの長さ（幅ｄ−１と距離ｌ）０⇔Ａ´は、本画像用画面３１のＡ地点から０地点までの長さを縮小して表示するものである。なお、図２における幅ｄ−１，ｄ−２および距離ｌは、それぞれ通常の画像幅の３〜４倍の画像を縮小して表示するものでなければならない。
【００２１】ただし、画像中の物体の移動が速いときは、各残像もしくは先駆画像用画面３２においては本画像用画面３１の周辺端部からテレビモニタ１２の外縁に向かって、最初は本画像との縮小率は小さく、したがって画像の残像もはっきりしており、徐々に縮小率が上がって最後にはほとんどボケた状態となるようにすることが望ましい。もちろん、縮小率が上がって画像が潰れるような場合には、黒く表示するよりもグラデーションで白くぼかすことのほうがより見やすくなる。
【００２２】このようにして残像用画面もしくは先駆画像用画面３２により、画像中の物体の移動が速いときは、最初は本画像との縮小率は小さく、したがって画像の残像もはっきりしており、徐々に縮小率が上がって最後にはほとんどボケた状態となるようにすれば、テレビモニタ１２の画像中で時間の経過が理解できるようになり、より一層立体感や臨場感のある、優れた画像を見ることができるようになる。
【００２３】以上に説明したこの発明の本画像用画面の周囲に残像もしくは先駆画像を表示できるテレビモニタ１２における残像もしくは先駆画像の表示例を図３以下に基いて具体的に説明する。
【００２４】図３および図４は本発明をサッカーの中継の場合を例にとって説明するためのものである。すなわち、図３は攻撃側の選手が本画像用画面３１内のゴールＧを目指して進んでいるシーンであるが、残像用画面もしくは先駆画像用画面３２により主人公の両側から相手方の選手Ｐがせまっている気配を表示している。
【００２５】他方、ボールキーパーＫが後方のゴールＧのポールＰｏの幅をとして気配で感じるものを、図４のように残像用画面もしくは先駆画像用画面３２において表示することにより、ゴールキーパーＫの左右移動を残像として、あるいは先駆画像として映し出すものである。
【００２６】このような本画像用画面３１、残像用画面もしくは先駆画像用画面３２は、図５のようにして撮影することができる。先ず最初に出演者本人の目の位置が決められる。その両側に監督ＭやカメラＣ、上部にライトＬが配置されている。そして出演者は、カメラＣ、監督Ｍ、ライトＬを意識しながら、出演者本人の意識を、例えば残像や先駆画像として映し出すのである。
【００２７】
【発明の効果】上記したこの発明では、予め画面を分割して本画像用画面とその周囲に配置した残像もしくは先駆画像用画面とで構成し、本画像用画面の周囲に残像もしくは先駆画像用画面を複数表示する。このため、本画像の見やすさが確実に確保できるようになった。
【００２８】なおかつ残像もしくは先駆画像用画面には、各残像用画面もしくは先駆画像用画面の密度を時間の経過に応じ、本画像用画面中の本画像から離れる方向に向かって順次変化するようにして、残像用画面もしくは先駆画像用画面により時間の経過が理解できるようにしたので、テレビモニタ内で本画像と、残像もしくは先駆画像用画面における残像もしくは先駆画像による時間の経過とを同時に表示することを可能とすることができる。言い換えると、残像用画面もしくは先駆画像用画面において出演者や看る者の意識を反映した画像を提供することができ、立体感や臨場感のある映像を提供することができるのである。
【図面の簡単な説明】
【図１】この発明の本画像用画面の周囲に残像もしくは先駆画像を表示できるテレビモニタの一実施例を示す説明図である。
【図２】（ａ）、（ｂ）は残像もしくは先駆画像を表示する箇所のそれぞれ部分図および詳細図である。
【図３】本発明を適用したテレビモニタでサッカーを放映する場合を示す概略図である。
【図４】図３の映像の時間から所定時間経過した状態の概略図である。
【図５】上記画像を撮影する場合についての説明図である。
【符号の説明】
１１  制御部
１２  テレビモニタ
１３  スピーカ
３１  本画像用画面
３２  残像もしくは先駆画像用画面
【図１】
2004172689.tif 000003
【図２】
2004172689.tif 000004
【図３】
2004172689.tif 000005
【図４】
2004172689.tif 000006
【図５】
2004172689.tif 000007